(57)【要約】【課題】簡単且つ小型の構成にて被写体の照明を可能にしたカメラ付き携帯端末装置を提供する。【解決手段】カメラ部７を内蔵した携帯電話機において、表示部２を照明する光源５の光を第１筺体１の投光窓１０に導く反射板１１を備える。【選択図】　　　　図２
2004140436.tif 000002
【特許請求の範囲】
【請求項１】
端末本体内に少なくともカメラ部と表示部をそれぞれ内蔵した携帯端末装置において、前記表示部は少なくとも表示素子及び該表示素子に光を照射する光源とからなり、前記端末本体表面には投光窓を備えるとともに、該投光窓に前記光源の光を導く導光手段を具備したことを特徴とするカメラ付き携帯端末装置。
【請求項２】
前記導光手段は、カメラ部の非撮影時に前記光源の光を前記表示素子に反射し、撮影時には前記光源の光を反射させて前記投光窓へ導くよう回動可能な反射板であることを特徴とする請求項１に記載のカメラ付き携帯端末装置。
【請求項３】
前記カメラ付き携帯端末装置は輝度調整用スイッチを備え、該輝度調整用スイッチの操作によって前記光源から照射させる光の輝度を増加させるようにしたことを特徴とする請求項１又は請求項２に記載のカメラ付き携帯端末装置。
【請求項４】
端末本体内に少なくともカメラ部と表示部をそれぞれ内蔵した携帯端末装置において、該携帯端末装置は照明用スイッチと、該照明用スイッチの操作により点灯する照明用光源と、前記端末本体表面に備える投光窓と、該投光窓に前記照明用光源の光を導く導光手段とを具備したことを特徴とするカメラ付き携帯端末装置。
【請求項５】
前記導光手段は、前記照明用光源の光を反射させて前記投光窓へ導く反射板であることを特徴とする請求項４に記載のカメラ付き携帯端末装置。
【請求項６】
前記導光手段は、前記照明用光源の光を前記投光窓へ導く照明用導光板であることを特徴とする請求項４に記載のカメラ付き携帯端末装置。
【請求項７】
前記反射板は、前記カメラ部で撮影する被写体の距離に応じて反射角を調整できるようにしてあることを特徴とする請求項２又は請求項５に記載のカメラ付き携帯端末装置。
【発明の詳細な説明】
【０００１】
【発明の属する技術分野】
本発明は、携帯電話機やＰＤＡ（Ｐｅｒｓｏｎａｌ　Ｄｉｇｉｔａｌ　Ａｓｓｉｓｔａｎｔｓ）等のカメラ付き携帯端末装置に関し、より詳しくは、簡単且つ小型の構成にて被写体を照明できるようにしたカメラ付き携帯端末装置に関する。
【０００２】
【従来の技術】
近年、携帯電話機やＰＤＡにカメラを一体に備えて撮影できるようにしたカメラ付き携帯端末装置が用いられている。例えば液晶表示部を備えた筺体と操作部を備えた筺体とを折り畳み可能に構成したフォルダタイプのカメラ付き電話機では、液晶表示部と反対側の面にサブ液晶表部を備え、その近傍にカメラを配置したものが多く用いられている。
【０００３】
この種のカメラ付き携帯電話機は、暗い場所で撮影を行う場合や、暗い被写体を撮影する場合に対応するために、被写体を照明することが考えられており、例えばフラッシュ内蔵のカメラのフラッシュをそのままモジュールで使用したものがある。又、外付けカメラタイプの携帯電話機においては、外付けカメラそのものにカメラ用のストロボ装置や電池を装備させている。
【０００４】
例えば、ストロボ装置を備えたカメラ付き携帯電話機としては、電話機本体にストロボ装置を設け、ストロボ装置をレリーズボタンのレリーズ操作で発光させてストロボ光で照明して撮影する構成のものが提案されている（例えば、特許文献１）。
【０００５】
【特許文献１】
特開昭２００１−３２０６２２号公報。
【０００６】
【発明が解決しようとする課題】
しかしながら、上記特許文献１のようなストロボ装置を備えた従来のカメラ付き携帯電話機では、ストロボ装置が別途必要である上に、ストロボ装置を駆動するための回路が必要であり、電話機が複雑で高価になるという課題があった。又、外付けカメラの場合はカメラ付き携帯電話機全体が大型化すると共に重量も増加し、このために軽量、小型の要求に対応できないという課題があった。
【０００７】
しかも、ストロボ装置を外付けしたカメラ付き携帯電話機は、携帯時にストロボ装置を携帯電話機から取り外して別々に携帯しなければならないことから持ち運びが不便であるといった不都合もあった。
【０００８】
本発明は、上記従来の課題に鑑みてなしたもので、簡単且つ小型の構成にてカメラの撮影時に被写体への照明を可能にしたカメラ付き携帯端末装置を提供することを目的とする。
【０００９】
【課題を解決するための手段】
本発明は、上記の目的を達成するためになしたもので、請求項１記載に係る発明は、端末本体内に少なくともカメラ部と、表示素子及び該表示素子に光を照射する光源とからなる表示部をそれぞれ内蔵したカメラ付き携帯端末装置において、端末本体表面には投光窓を設けるとともに、前記投光窓に前記表示部に備える光源の光を導く導光手段を具備させたことを特徴とする。
【００１０】
請求項２に係る発明は、請求項１に記載のカメラ付き携帯端末装置であって、導光手段が、カメラ部の非撮影時に前記光源の光を前記表示素子に反射し、撮影時には前記光源の光を反射させて前記投光窓へ導くよう回動可能な反射板からなることを特徴とする。
【００１１】
請求項３に係る発明は、請求項１又は請求項２に記載のカメラ付き携帯端末装置であって、輝度調整用スイッチを備え、この輝度調整用スイッチの操作によって前記光源から照射させる光の輝度を増加させるようにしてあることを特徴とする。
【００１２】
請求項４に係る発明は、端末本体内に少なくともカメラ部と表示部をそれぞれ内蔵した携帯端末装置において、この携帯端末装置は、照明用スイッチと、照明用スイッチの操作により点灯する照明用光源と、端末本体表面に備える投光窓と、投光窓に前記照明用光源の光を導く導光手段とを具備することを特徴とする。
【００１３】
請求項５に係る発明は、請求項４に記載のカメラ付き携帯端末装置であって、前記導光手段が、前記照明用光源の光を反射させて前記投光窓へ導く反射板からなることを特徴とする。
【００１４】
請求項６に係る発明は、請求項４に記載のカメラ付き携帯端末装置であって、前記導光手段が、前記照明用光源の光を前記投光窓へ導く照明用導光板からなることを特徴とする。
【００１５】
請求項７に係る発明は、請求項２又は請求項５に記載のカメラ付き携帯端末装置であって、前記反射板は、前記カメラ部で撮影する被写体の距離に応じて反射角を調整できるようにしてあることを特徴とする。
【００１６】
上記手段によれば、以下のように作用する。
【００１７】
請求項１に係る発明では、表示部を構成する光源の光を端末本体の投光窓に導くための導光手段を備えたので、表示素子に照明光を与える光源を利用して簡単な構成で被写体を照明できる。
【００１８】
請求項２に係る発明では、導光手段が、カメラ部の非撮影時は光源の光を表示素子に反射し、撮影時には前記光源の光を反射させて投光窓へ導くよう回動できる反射板であるので、簡単な構成で被写体を照明でき、且つカメラ部の非撮影時には表示素子へ十分な照明光を与え、表示部に対して十分な明るさを確保することができる。
【００１９】
請求項３に係る発明では、表示部の光源は、輝度調整用スイッチの操作により照明光の輝度が増加されるようにしてあるので、撮影時に被写体を明るく照明できる。
【００２０】
請求項４に係る発明では、端末本体に少なくともカメラ部と表示部をそれぞれ内蔵した携帯端末装置において、この携帯端末装置に、照明用スイッチと、照明用スイッチの操作により点灯する照明用光源と、端末本体表面に備える投光窓と、投光窓に前記照明用光源の光を導く導光手段とを具備させるようにしたので、前記照明用光源によって撮影時に被写体を明るく照明できる。
【００２１】
請求項５に係る発明では、導光手段が、照明用光源の光を反射させて投光窓に導く反射板であるので、簡単な構成で被写体を照明できる。
【００２２】
請求項６に係る発明では、導光手段が、照明用光源の光を投光窓に導く照明用導光板であるので、構成が更に簡略化できる。
【００２３】
請求項７に係る発明では、反射板は、カメラ部で撮影する被写体の距離に応じて反射角を調整できるようにしてあるので、カメラ部と被写体との距離に合わせて反射板の反射角を調整することにより被写体を有効に照明して明瞭な撮影画像を得ることができる。
【００２４】
【発明の実施の形態】
以下、図面を参照して本発明の実施の形態を説明する。
【００２５】
図１は本発明のカメラ付き携帯端末装置の一実施形態を示すもので、端末本体を表示部を有する第１筺体１と操作部を有する第２筺体２０とから構成し、両筺体１，２０を折り畳み可能に構成したフォルダタイプの携帯電話機を、メイン液晶表示部（図示せず）の背面方向から見た正面図、図２は図１をＩＩ−ＩＩ方向から見た切断側面図、図３は図１をＩＩＩ−ＩＩＩ方向から見た側面図である。
【００２６】
サブ液晶表示部２はサブ液晶表示素子３、液晶用導光板４及び光源５からなり、サブ液晶表示素子３の後方に液晶用導光板４を備え、液晶用導光板４の上端近傍に光源５（ＬＥＤ）が設けられている。図示の例では２個の光源５を設けている。光源５は液晶用導光板４を介してサブ液晶表示素子３を照明し、これによりサブ液晶表示素子３に出力された情報をサブ液晶用透過窓６から明るい液晶画面として視認できるようになっている。
【００２７】
液晶用導光板４の上部には、カメラ部７（カメラモジュール）が内蔵されており、第１筺体１背面のカメラ窓８を通して被写体の撮影が行えるようになっている。図１中９はカメラ窓８の横に設けられた鏡である。
【００２８】
上記構成において、第１筺体１背面におけるサブ液晶用透過窓６とカメラ窓８との間に投光窓１０を設ける。
【００２９】
一方、第１筺体１内の前記光源５の上部位置に、回動可能な反射板１１（導光手段）を設ける。図１〜図３の例では、反射板１１に設けた回動軸１２を第１筺体１の側部に延長してこの回動軸１２の端部に回動用のレバー或いはダイアル等の回動操作部１３を設けている。前記反射板１１は、前記回動操作部１３を操作することによって、カメラ部７による撮影を行わない時には光源５の光をサブ液晶表示部２側に反射させて光源５の光が上方へ逃げるのを防止する遮蔽位置Ａと、撮影時には光源５の光を反射させて投光窓１０に導く投光位置Ｂとに切替られるようになっている。
【００３０】
第１筺体１の任意の位置には、ＯＮ−ＯＦＦを行う輝度調整用スイッチ１４を設けている。光源５はカメラ部７による撮影を行わない通常時にはサブ液晶表示部２を照明するのみの輝度となっているが、前記輝度調整用スイッチ１４をＯＮ操作することによって前記光源５の照明の輝度が増加されるようになっている。尚、上記形態例では、回動操作部１３を手動で操作することによって反射板１１を遮蔽位置Ａと投光位置Ｂとに回動する場合について説明したが、前記輝度調整用スイッチ１４をＯＮとすることによって図示しないモータなどにより自動的に反射板１１を遮蔽位置Ａから投光位置Ｂに回動するよう構成されていてもよい。
【００３１】
又、投光位置Ｂに回動した反射板１１は反射角αを調整できるようになっている。即ち、図１に示すように、カメラ部７と投光窓１０とは同一位置に設置することができないために相互間には距離がある。このために、図４、図５に示すように被写体Ｘとカメラ部７との距離が変化した場合に、カメラ部７の光軸上で被写体Ｘに有効に照明光を当てるためには反射板１１の反射角αをα１、α２のように調節してやる必要がある。
【００３２】
このため、回動操作部１３が設置された場所の第１筺体１の表面に、カメラ部７と被写体Ｘの距離に応じて回動操作部１３を回動させる位置を指定するための目盛１５（マーク）を施している。この目盛１５は例えばカメラ部７と被写体Ｘの距離が３０ｃｍ〜１ｍ、１ｍ以上の場合に対応するように段階的に付すことができる。一方、被写体Ｘに照明光が有効に当たると被写体Ｘが明るくなることによって反射板１１の反射角αが合致していると判断できるので、被写体Ｘの明るさを見ながら回動操作部１３を操作するようにして前記目盛１５を省略してもよい。
【００３３】
以下に、上記図１〜図３に示した形態例の作用を説明する。
【００３４】
カメラ部７による撮影を行わないときは、輝度調整用スイッチ１４はＯＦＦの位置とし、又、回動操作部１３はＯＦＦの位置として反射板１１（導光手段）を実線で示す遮蔽位置Ａに保持しておく。
【００３５】
これにより、カメラ部７による撮影を行わないときは、光源５の上部は反射板１１によって塞がれており、従って光源５の光は反射板１１によりサブ液晶表示部２側に反射されるので光源５の光が上方へ逃げることは防止される。
【００３６】
カメラ部７による撮影を行うときは、回動操作部１３を操作して反射板１１を実線の遮蔽位置Ａから二点鎖線の投光位置Ｂに回動させる。これにより、光源５の照明光は反射板１１により反射して投光窓１０から外部に向けて投射され被写体を照明する。
【００３７】
この時、輝度調整用スイッチ１４をＯＮに操作すると、照明光の輝度が増加され、これにより被写体Ｘ（図４、図５）を明るく照明することができる。
【００３８】
更に、カメラ部７と被写体Ｘとの距離に合わせて回動操作部１３を操作し、反射板１１の反射角αを調節することにより、被写体Ｘが有効に照明されるようにする。すると、被写体Ｘは明るく照明され明瞭な撮影画像を得ることができる。
【００３９】
尚、図１〜図３の形態例では、サブ液晶表示部２を照明する光源５を被写体Ｘの照明に利用する場合について説明したが、第１筺体１の図示しないメイン液晶表示部に備える光源を被写体Ｘの照明に利用することもできる。
【００４０】
図６は前記図１〜図３における反射板１１を回動させる方式の他の例を示したものであり、図６では、ＯＮの操作により光源５の照明の輝度を増加するようにしている輝度調整用スイッチ１４に、前記反射板１１の回動軸１２を接続している。そして、前記輝度調整用スイッチ１４をＯＦＦからＯＮにスライドさせると光源５の照明の輝度が増加され、更にその状態から同方向にスライドさせると、前記反射板１１が遮蔽位置Ａから投光位置Ｂに回動するようにしている。即ち、輝度調整用スイッチ１４は、光源５の輝度を増加させる作用と、反射板１１を回動させる回動操作部としての作用を兼ねたものになっている。
【００４１】
更に、図６においても、図１〜図３に示したように、投光位置Ｂに回動した反射板１１の反射角αを調整できるようにしている。即ち、図６に示すように、輝度調整用スイッチ１４が設置された場所の第１筺体１の表面に、カメラ部７と被写体Ｘとの距離に応じた目盛１５（マーク）を施している。
【００４２】
図６に示した構成においても、図１〜図３の形態例と同様に作用することができる。又、図６の構成では、図１のような回動操作部を特別に備えないので、装置を更に簡略化できる。
【００４３】
図７は本発明の他の実施形態を示すもので、カメラ付き携帯電話機のメイン液晶表示部（図示せず）の背面方向から見た正面図、図８は図７をＶＩＩＩ−ＶＩＩＩ方向から見た切断側面図である。
【００４４】
図７、図８に示すように、カメラ部７を内蔵した携帯電話機において、サブ液晶表示部２を照明する光源１６と、被写体を照明するための照明用光源１７とを設ける。図示の例では１個の光源１６と２個の照明用光源１７を設けている。前記光源１６は液晶用導光板４に向けて照明するようになっているのに対し、照明用光源１７は、液晶用導光板４とは反対の上側に向けて照明するようになっている。この照明用光源１７は、通常時は消灯しており、照明用スイッチ２１のＯＮ操作によって点灯されるようになっている。
【００４５】
更に、第１筺体１の内部に、照明用光源１７の光を第１筺体１の投光窓１０に導くための導光手段１８を設けている。図７、図８における導光手段１８は、照明用光源１７からの光を反射させて投光窓１０に導く反射板１８ａである。この反射板１８ａは設定された反射角αに固定されていてもよく、或いは、図６と同様に反射板１８ａに設けた回動軸１９を照明用スイッチ２１に接続し、照明用スイッチ２１をＯＮにした状態から更に同方向にスライドさせることによって反射板１８ａの反射角αを調整できるようにしてもよい。
【００４６】
上記図７、図８に示した形態例では、サブ液晶表示部２を照明する光源１６とは別個の照明用光源１７を設けており、撮影時には照明用スイッチ２１をＯＮに操作することにより照明用光源１７を点灯させる。照明用光源１７からの光は反射板１８ａにより反射されて投光窓１０から被写体Ｘに向けて投光される。従って、専用に設けられる照明用光源１７は高い輝度の照明を発するものを用いることができ、よって被写体Ｘを明るく照明することができる。又、専用の照明用光源１７を設けているので、被写体の照明時にサブ液晶表示部２の明るさが変化することはない。
【００４７】
又、反射板１８ａの反射角αを、例えば図６に示したように照明用スイッチ２１の操作によって調整できるようにすれば、距離に応じて被写体Ｘを有効に照明し明瞭な撮影画像を得ることができる。
【００４８】
図９は図７、図８の導光手段１８の他の例を示したものであり、図９の導光手段１８は、照明用光源１７からの光を照明用導光板１８ｂを用いて投光窓１０に導くようにしている。
【００４９】
図９の照明用導光板１８ｂを用いた構成によれば、投光窓１０から投光する照明の方向を調節することはできないが、構成は簡略なものとすることができる。
【００５０】
尚、上記形態例では、フォルダタイプの携帯端末装置の第１筺体にカメラ部を備えた場合について説明したが、フォルダタイプ、一体型を問わずカメラを内蔵した携帯電話機であれば適用できること、反射板を回動する機構には種々の方式のものが採用できること、その他本発明の要旨を逸脱しない範囲内において種々変更を加え得ること、等は勿論である。
【００５１】
さらに、上記形態例では携帯電話機を例にとって示したが、ＰＤＡ等のカメラを備えた携帯端末装置にも適用できることは言う迄もない。
【００５２】
【発明の効果】
本発明は、以上のように構成されているため、次のような効果を奏する。
【００５３】
請求項１に係る発明によれば、表示素子に照射する光源の光を端末本体の投光窓に導くための導光手段を備えたので、表示素子の光源を利用して簡単な構成で被写体を照明できる効果がある。
その為、暗い場所でのカメラ撮影においても光を当てて被写体を撮影することができる。
【００５４】
請求項２に係る発明によれば、導光手段が、カメラ部の非撮影時に前記光源の光を前記表示素子に反射し、撮影時には前記光源の光を反射させて投光窓へ導くよう回動可能な反射板であるので、簡単な構成で被写体を照明でき、且つカメラ部の非撮影時には表示部に備える光源の光が逃げるのを防止できる効果がある。
【００５５】
請求項３に係る発明によれば、携帯端末装置に輝度調整用スイッチを備え、この輝度調整用スイッチの操作によって表示部に備える光源から照射される光の輝度を増加させるようにしてあるので、撮影時に被写体を明るく照明できる効果がある。
【００５６】
請求項４に係る発明によれば、携帯端末装置に、照明用スイッチと、照明用スイッチの操作により点灯する照明用光源と、端末本体表面に備える投光窓と、投光窓に前記照明用光源の光を導く導光手段とを具備させるようにしたので、照明用光源により撮影時に被写体を明るく照明できる効果がある。
【００５７】
請求項５に係る発明によれば、導光手段が、照明用光源の光を反射させて前記投光窓へ導く反射板であるので、簡単な構成で被写体を照明できる効果がある。
【００５８】
請求項６に係る発明によれば、導光手段が、照明用光源の光を端末本体の投光窓へ導く照明用導光板であるので、構成がさらに簡略化できる効果がある。
【００５９】
請求項７に係る発明によれば、反射板は、カメラ部で撮影する被写体の距離に応じて反射角を調整できるようにしてあるので、カメラ部と被写体との距離に合わせて反射板の反射角を調節することにより被写体を有効に照明して明瞭な撮影画像を得られる効果がある。
【図面の簡単な説明】
【図１】本発明のカメラ付き携帯端末装置の一実施形態を示す第１筺体をメイン液晶表示部の背面方向から見た正面図である。
【図２】図１をＩＩ−ＩＩ方向から見た切断側面図である。
【図３】図１をＩＩＩ−ＩＩＩ方向から見た側面図である。
【図４】被写体とカメラ部の距離が近い場合における反射板の反射角を示す説明図である。
【図５】被写体とカメラ部の距離が遠い場合の反射板の反射角を示す説明図である。
【図６】図１における反射板を回動させる方式の他の例を示した正面図である。
【図７】本発明のカメラ付き携帯端末装置の他の実施形態を示す第１筺体をメイン液晶表示部の背面方向から見た正面図である。
【図８】図７をＶＩＩＩ−ＶＩＩＩ方向から見た切断側面図である。
【図９】図７及び図８の導光手段の他の例を示した切断側面図である。
【符号の説明】
１　　第１筺体（端末本体）
２　サブ液晶表示部（表示部）
３　　サブ液晶表示素子（表示素子）
５　　光源
７　　カメラ部（カメラモジュール）
１０　　投光窓
１１　　反射板（導光手段）
１４　　輝度調整用スイッチ
１６　　光源
１７　　照明用光源
１８　　導光手段
１８ａ　　　　　　　　反射板
１８ｂ　　　　　　　　照明用導光板
２１　照明用スイッチ
Ａ　　　　遮蔽位置
Ｂ　　　　投光位置
Ｘ　　　　被写体
α　　　　反射角
【図１】
2004140436.tif 000003
【図２】
2004140436.tif 000004
【図３】
2004140436.tif 000005
【図４】
2004140436.tif 000006
【図５】
2004140436.tif 000007
【図６】
2004140436.tif 000008
【図７】
2004140436.tif 000009
【図８】
2004140436.tif 000010
【図９】
2004140436.tif 000011